(57)【要約】【課題】エンコーダ２がボリューウムのＵＰ／ＤＯＷＮを行う機能の他に他の機能を有するオーディオ装置の使い勝手をよくする。【解決手段】エンコーダ２がボリューウムのＵＰ／ＤＯＷＮのみに使用される第１のモードと、エンコーダ２がボリューウムのＵＰ／ＤＯＷＮを行う機能と設定項目の送りとに切り換えて使用される第２の１以上の複数モードと、において使用されるオーディオ装置において、第２のモードにおけるエンコーダが設定項目の送りに使用されるモードにおいて、第１のキー３を押すことによりエンコーダ２がボリューウムのＵＰ／ＤＯＷＮを行う機能に使用されるモードに変更され、第２のモードにおいて、第２の複数のキー４、４…の内の特定モードキーを押すことによりそれにより指定されたモードに切り換えられるように構成した。【選択図】        図１
2005189155.tif 000002
【特許請求の範囲】
【請求項１】
エンコーダがボリューウムのＵＰ／ＤＯＷＮのみに使用される第１のモードと、エンコーダがボリューウムのＵＰ／ＤＯＷＮを行う機能と設定項目の送りとに切り換えて使用される第２の１以上の複数モードと、において使用されるオーディオ装置において、第２のモードにおけるエンコーダが設定項目の送りに使用されるモードにおいて、第１のキーを押すことによりエンコーダがボリューウムのＵＰ／ＤＯＷＮを行う機能に使用されるモードに変更され、第２のモードにおいて、第２の複数のキーの内の特定モードキーを押すことによりそれにより指定されたモードに切り換えられるように構成された複数の機能を有するエンコーダを備えたオーディオ装置。
【請求項２】
エンコーダがボリューウムのＵＰ／ＤＯＷＮのみに使用される第１のモードと、エンコーダがボリューウムのＵＰ／ＤＯＷＮを行う機能と設定項目の送りとに切り換えて使用される第２の１以上の複数モードと、において使用されるオーディオ装置において、第２のモードにおけるエンコーダが設定項目の送りに使用されるモードにおいて、第１のキーを押すことによりエンコーダがボリューウムのＵＰ／ＤＯＷＮを行う機能に使用されるモードに変更され、第２のモードにおいて、第２の複数のキーの任意のキーを押すことにより第２のモード中の各モードが順次選択されるように構成された複数の機能を有するエンコーダを備えたオーディオ装置。
【請求項３】
前記第１のモードにおいて、第１のキーを押すことにより前記第２のモードに切り換えられる請求項１または２の複数の機能を有するエンコーダを備えたオーディオ装置。
【請求項４】
前記エンコーダがボリューウムのＵＰ／ＤＯＷＮを行う状態、設定値送り状態、調整不可能の状態のいずれかであることが表示される請求項１から３のいずれかに記載された複数の機能を有するエンコーダを備えたオーディオ装置。
【発明の詳細な説明】
【技術分野】
【０００１】
この発明はオーディオ装置に係わり、特に、複数の機能を有するエンコーダを備えたオーディオ装置に関する。
【背景技術】
【０００２】
従来のオーディオ装置にはボリューウムのＵＰ／ＤＯＷＮの機能を有するエンコーダをボリューウムのＵＰ／ＤＯＷＮの機能以外の他の機能に使用する各種のモードにおいて、設定項目の送りや設定値のＵＰ／ＤＯＷＮのために用いるものがあった。そして、このエンコーダをボリューウムのＵＰ／ＤＯＷＮの機能として用いるモードや他のモードは特定のキーを押す毎に順次選択される。
【０００３】
上記従来のオーディオ装置では、エンコーダがボリューウムのＵＰ／ＤＯＷＮの機能以外の他の機能に使用されるモード中において、エンコーダをボリューウムのＵＰ／ＤＯＷＮの機能に用いるモードに急に変えることができないため、ＡＴＴ（アッティネータ）をかける以外に音量の操作ができなくて不便であった。なお、ＡＴＴは特定のキーを押すごとに、音量の２０ｄｂアップと２０ｄｂダウンを交互に行うものである。
【発明の開示】
【発明が解決しようとする課題】
【０００４】
この発明は上記した点に鑑みてなされたものであって、その目的とするところは、エンコーダがボリューウムのＵＰ／ＤＯＷＮを行う機能の他に他の機能を有するオーディオ装置において、エンコーダを直ちにボリューウムのＵＰ／ＤＯＷＮに用いることができるオーディオ装置を提供することにある。
【課題を解決するための手段】
【０００５】
この発明の複数の機能を有するエンコーダを備えたオーディオ装置は、エンコーダがボリューウムのＵＰ／ＤＯＷＮのみに使用される第１のモードと、エンコーダがボリューウムのＵＰ／ＤＯＷＮを行う機能と設定項目の送りとに切り換えて使用される第２の１以上の複数モードと、において使用されるオーディオ装置において、第２のモードにおけるエンコーダが設定項目の送りに使用されるモードにおいて、第１のキーを押すことによりエンコーダがボリューウムのＵＰ／ＤＯＷＮを行う機能に使用されるモードに変更され、第２のモードにおいて、第２の複数のキーの内の特定モードキーを押すことによりそれにより指定されたモードに切り換えられるように構成された複数の機能を有するエンコーダを備えたオーディオ装置。
【０００６】
また、この発明の複数の機能を有するエンコーダを備えたオーディオ装置は、エンコーダがボリューウムのＵＰ／ＤＯＷＮのみに使用される第１のモードと、エンコーダがボリューウムのＵＰ／ＤＯＷＮを行う機能と設定項目の送りとに切り換えて使用される第２の１以上の複数モードと、において使用されるオーディオ装置において、第２のモードにおけるエンコーダが設定項目の送りに使用されるモードにおいて、第１のキーを押すことによりエンコーダがボリューウムのＵＰ／ＤＯＷＮを行う機能に使用されるモードに変更され、第２のモードにおいて、第２の複数のキーの任意のキーを押すことにより第２のモード中の各モードが順次選択されるように構成されたものである。
【０００７】
また、前記各オーディオ装置において、前記第１のモードにおいて、第１のキーを押すことにより前記第２のモードに切り換えられるものである。
【０００８】
また、前記各オーディオ装置において、前記エンコーダがボリューウムのＵＰ／ＤＯＷＮを行う状態、設定値送り状態、調整不可能の状態のいずれかであることが表示される請ものである。
【発明の効果】
【０００９】
この発明のオーディオ装置によれば、エンコーダがボリューウムのＵＰ／ＤＯＷＮを行う機能の他の機能を有する状態においても、エンコーダがボリューウムのＵＰ／ＤＯＷＮを行う状態に直ちに移行させることができるので使い勝手がよい。
【発明を実施するための最良の形態】
【００１０】
以下この発明を実施するための最良の形態を実施例に即して説明する。
【実施例１】
【００１１】
図１はこの発明の実施例１であるオーディオ装置の要部を示すブロック図である。図１に示す制御回路１はオーディオ装置の音量を設定したり、各モードでの各種設定値の設定や設定項目の送りをロータリエンコーダ２に行わせる。また、表示装置５に表示させる各種の文字および絵の表示制御を行い、表示装置５にはエンコーダの機能を表示するエンコーダ機能表示マーク５ａを備えている。
【００１２】
第１のキー３および第２のキー４、４…は制御回路１の動作を制御する。この制御回路１はロータリエンコーダ２がオーディオ装置の音量を設定し、設定項目の送りや設定値の設定を行わない第１のモードと、エンコーダがボリューウムのＵＰ／ＤＯＷＮを行う機能と、設定項目の送りや設定値のＵＰ／ＤＯＷＮを行う機能に使用される第２の１以上の複数モードとにおいて使用される。
【００１３】
上記の各モードには第１のモード以外の他のモードとして『Ａｕｄｉｏ』『ＭＥＮＵ』『ＮＥＭＥＳＥＴ』『表示切替』『フォルダセレクト』等のモードがある。この場合例えば『ＭＥＮＵ』モードではロータリエンコーダ２により設定する項目の送りが行われ、シークキーにより設定値のＵＰ／ＤＯＷＮが行われる。『ＮＥＭＥＳＥＴ』ではロータリエンコーダ２により表示装置５に表示する文字の送り（Ａ→Ｂ→Ｃ…）が行われ、シークキーにより入力桁の移動が行われる。『フォルダセレクト』ではロータリエンコーダ２により演奏する曲等の選択が行われる。
【００１４】
図２に示すように、第１のモードにおいて、第１のキー３を押すことにより第２のモードに切り換えられ、第２のモードのモードにおけるエンコーダがボリューウムのＵＰ／ＤＯＷＮを行わないモードにおいて第１のキー３を押すことにより第１のモードに切り換えられる。第２または第３モードにおいて、第２のキー４、４…の任意のモード指定キー押すことにより第２のモード中の指定されたモードに切り換えられる。第２モードにおいて、第２のキー４、４…の任意のキーを押すことによりの第２モード中の各モードが順次選択されるようにしてもよい。
【００１５】
前記第１のモードではエンコーダ機能表示マーク５ａが消灯している。前記第２のモードでは、エンコーダの操作により、ボリューウムのＵＰ／ＤＯＷＮを行う場合はエンコーダ機能表示マーク５ａが点灯し、項目送りを行う場合はエンコーダ機能表示マーク５ａが点滅する。
【００１６】
このようにエンコーダがボリューウムのＵＰ／ＤＯＷＮを行わないモードのときには第１のキー３を押すことによりエンコーダによりボリューウムのＵＰ／ＤＯＷＮを行うようにすることができるので使い勝手がよい。
【図面の簡単な説明】
【００１７】
【図１】この発明の実施例１であるオーディオ装置の要部を示すブロック図である。
【図２】同オーディオ装置の作用を説明するための状態遷移図である。
【符号の説明】
【００１８】
１  制御回路
２  ロータリエンコーダ
３  第１のキー
４  第２のキー
５  表示装置、５ａ  エンコーダ機能表示マーク
【図１】
2005189155.tif 000003
【図２】
2005189155.tif 000004